(57)【要約】  【課題】  ヘッド部で発生した振動が把持部に比較的伝わり難く、振動を減衰することが可能な歯科用ハンドピースを提供する。  【解決手段】  歯科処置工具がスリーブに受理され、スリーブが軸受部材により回転可能に支承され、軸受部材及びスリーブがヘッド部１１に収納され、ヘッド部には後方に延びる接続ネック部１１ａが設けられ、接続ネック部が把持部１２の先端に挿着され、把持部の後端に後端ケーシング１３が固定され、ヘッド部及び後端ケーシングは実質的に金属材料から形成され、把持部はケーシングが実質的に樹脂材料又はゴムから形成され、把持部の内部に軸部材１４が挿通されて、軸部材によりヘッド部と把持部との連結状態が補強される。【選択図】  図１
2007089866.tif 000002
【特許請求の範囲】
【請求項１】
歯科処置工具がスリーブに受理され、該スリーブが軸受部材により回転可能に支承され、該軸受部材及び該スリーブがヘッド部に収納され、該ヘッド部には後方に延びる接続ネック部が設けられ、該接続ネック部が把持部の先端に挿着され、該把持部の後端に後端ケーシングが固定され、
前記ヘッド部及び前記後端ケーシングは実質的に金属材料から形成され、前記把持部はケーシングが実質的に樹脂材料又はゴムから形成され、
前記把持部の内部に軸部材が挿通されて、該軸部材により前記ヘッド部と前記把持部との連結状態が補強されたものである歯科用ハンドピース。
【請求項２】
前記把持部の後端に後端ケーシングを固定するための固定部材が設けられ、該固定部材に前記軸部材の後端が接続され、先端が前記接続ネック部に接続されたものである請求項１記載の歯科用ハンドピース。
【請求項３】
前記固定部材を挿着するための受け部及び螺子山を有する金属製受口部材が、前記把持部のケーシング後端に一体に設けられたものである請求項２記載の歯科用ハンドピース。
【請求項４】
前記ヘッド部と前記把持部とを相対的に位置決めするための係合部が、前記ヘッド部の接続ネック部と前記把持部の先端とにそれぞれ設けられたものである請求項１記載の歯科用ハンドピース。
【発明の詳細な説明】
【技術分野】
【０００１】
本発明は把持部が樹脂材料又はゴムから形成された歯科用ハンドピースに関する。
【背景技術】
【０００２】
慣用の歯科用ハンドピース５０としては、図６に示したような、ヘッド部５１と把持部５２と後端ケーシング５３が組み立てられたものが知られている。この歯科用ハンドピース５０では、ヘッド部５１に、歯科処理工具５４を受理して着脱自在に保持するスリーブ（図示せず）が内蔵され、把持部５２に挿着するための接続ネック部５５が後方に延設されている。また把持部５２と後端ケーシング５３は、それぞれ別部材として形成されて相互に接続されるか、或いは同一部材として一体成形されたものがある。これらヘッド部５１、把持部５２及び後端ケーシング５３では、内部に設けられる給気管、給水管、光ファイバー或いはＯリングなどの部品を除いて、ほとんどの部分がチタンやステンレス鋼などの金属材料から形成されている。
【発明の開示】
【発明が解決しようとする課題】
【０００３】
上記構成の歯科用ハンドピース５０では、ヘッド部５１のスリーブを高速回転させ、歯科処理工具５４で患部を切削すると、ヘッド部５１に振動が発生し、これが把持部５２に伝達されたり、或いは把持部５２が共振して振幅が大きくなることがある。
【０００４】
本発明は上記従来技術の課題を解決せんとしたものであり、その目的は、ヘッド部で発生した振動が把持部に比較的伝わり難く、振動を減衰することが可能な歯科用ハンドピースを提供することにある。
【課題を解決するための手段】
【０００５】
上記課題を解決するために、本発明では、歯科処置工具がスリーブに受理され、該スリーブが軸受部材により回転可能に支承され、該軸受部材及び該スリーブがヘッド部に収納され、該ヘッド部には後方に延びる接続ネック部が設けられ、該接続ネック部が把持部の先端に挿着され、該把持部の後端に後端ケーシングが固定され、前記ヘッド部及び前記後端ケーシングは実質的に金属材料から形成され、前記把持部はケーシングが実質的に樹脂材料又はゴムから形成され、前記把持部の内部に軸部材が挿通されて、該軸部材により前記ヘッド部と前記把持部との連結状態が補強されたものである歯科用ハンドピースが提供される。
ここで、ヘッド部が実質的に金属材料から形成されるとは、流体の漏れを防止するシール部材、流体を搬送する管路部材、光ファイバー、スリーブを回転させるためのローター部材及び軸受部材を除いた、主要な部分が金属材料から形成されることを意味する。後端ケーシングは全てが金属材料から形成されたものが使用される。また把持部のケーシングが実質的に樹脂材料又はゴムから形成されるとは、把持部ケーシングの後端開口に選択的に設ける環状の金属製受口部材を除いては、他の全ての部分が樹脂材料又はゴムから形成されることを意味するものである。
樹脂材料としては、耐熱性樹脂を使用することが好ましく、例えば、ポリエーテルエーテルケトン（PEEK：polyetheretherketon）、ポリフェニレンサルファイド（PPS：polyphenylensulfide）、ポリエーテルサルフォン（PES:polyethersulfon）等の耐熱性樹脂を使用することができる。またゴムとしては耐熱性ゴムを使用することが好ましく、例えば、フッ素ゴム等の耐熱性ゴムを使用することができる。
以上のように、実質的に金属材料から形成されたヘッド部と後端ケーシングとの間に、樹脂材料又はゴムから形成された把持部のケーシングが設けられるため、ヘッド部で発生した振動は把持部のケーシングにおいて減衰される。また把持部のケーシングとヘッド部とは、固有振動数が相互に大きく異なる材料から形成されたものであるため、把持部における共振を抑制することができる。さらに、軸部材により、ヘッド部と把持部との連結状態が補強される一方で、この軸部材は把持部内に挿通されるものであるため、これによっても振動抑制効果が得られる。
【０００６】
本発明の歯科用ハンドピースでは、前記把持部の後端に後端ケーシングを固定するための固定部材を設けても良い。この場合、固定部材には前記軸部材の後端を接続し、前記軸部材の先端は前記接続ネック部に接続することができる。
なお、軸部材の後端を固定する箇所は、固定部材に限定されるものではなく、例えば、後端ケーシング又は後端接続部の何れかの箇所に固定することが可能である。
【０００７】
本発明の歯科用ハンドピースでは、前記固定部材を挿着するための受け部及び螺子山を有する金属製受口部材を前記把持部のケーシング後端に一体に設けることが可能である。
【０００８】
本発明の歯科用ハンドピースでは、前記ヘッド部と前記把持部とが相対的に位置決めされるように、相互に係合する係合部を前記ヘッド部の接続ネック部と前記把持部の先端とにそれぞれ設けることが好ましい。これにより、前記ヘッド部と前記把持部とにおける相対的な位置決めに加えて、前記ヘッド部と前記把持部における相対的な回転方向への位置ずれも防止可能になる。
【発明の効果】
【０００９】
本発明の歯科用ハンドピースでは、実質的に金属材料から形成されたヘッド部と後端ケーシングとの間に、実質的に樹脂材料又はゴムから形成された把持部のケーシングが設けられ、把持部内に挿設した軸部材によりヘッド部と把持部との連結状態が補強されるものであるため、ヘッド部と把持部とを確実に連結しながらも、把持部への振動伝達を効果的に抑制することが可能になった。
本発明における把持部ケーシングは樹脂材料又はゴムから形成されるものであるため、従来の金属製把持部と比べて、造形しやすく、人間工学的に有利な形状が容易に造形できる。また樹脂材料は金属材料に比べて摩擦係数が高いため、滑り難く、グリップ感の良い歯科用ハンドピースが製造可能になり、これにより施術者の疲労を低減することができる。さらに、把持部ケーシングの生地色も自由に選択することができるため、デザイン性に優れた色合いの歯科用ハンドピースの製造が容易になった。
【発明を実施するための最良の形態】
【００１０】
以下、本発明の一実施形態を図面に基づいて説明する。
【００１１】
図１は本発明にかかる歯科用ハンドピース１０の断面図であるが、ヘッド部１１については外観を図示した。歯科用ハンドピース１０はヘッド部１１と把持部１２と後端ケーシング１３とを有し、ヘッド部１１と把持部１２との連結状態を補強するための軸部材１４が把持部１２の内部に挿通されている。ヘッド部１１は実質的に金属材料から形成され、把持部１２のケーシング１２ａは実質的に樹脂材料又はゴムから形成され、後端ケーシング１３は金属材料から形成されている。
【００１２】
ここで、ヘッド部１１には、図２に示したように接続ネック部１１ａが後方に延設され、ヘッド部１１と把持部１２との連結補強のための軸部材１４が、接続ネック部１１ａに固定される。すなわち、接続ネック部１１ａの外周面には、図３にも示したように、固定ピン１５を挿着する溝１１ｂが穿設され、端面１１ｃから溝１１ｂに貫通する孔１１ｄが穿設され、固定ピン１５には軸部材１４を螺合させるための螺子孔が形成されている。一方、軸部材１４には、図１に示したように、先端と後端にそれぞれ外螺子１４ａ，１４ｂが形成されている。これらの構成により、溝１１ｂに固定ピン１５を挿着し、軸部材１４の先端の外螺子１４ａを孔１１ｄから挿入して固定ピン１５の螺子孔にねじ入れれば、軸部材１４は接続ネック部１１ａに固定される。
接続ネック部１１ａにはＯリング１６が環装され、光ファイバーの束１７、圧縮空気供給管１８、噴射用水供給管１９ａ及び噴射用空気供給管１９ｂが接続され、これら複数の供給管等が把持部１２と後端ケーシング１３の内部に挿通される。また接続ネック部１１ａには、図３に示したように、光ファイバーの束１７を配置するための光ファイバー収容部１１ｅが形成されており、この光ファイバー収容部１１ｅの両下端１１ｆは、把持部１２と係合する係合部１１ｆとして機能する。
なお、ヘッド部１１には、図示はしないが、歯科処置工具２０を着脱自在に保持するバースリーブ、圧縮空気を受けてバースリーブを回転駆動するためバースリーブに設けられたローター、バースリーブを回転可能に支承するための軸受部材などがヘッドハウジング内に設けられている。
【００１３】
次に、図４は把持部ケーシング１２ａの断面図である。
把持部ケーシング１２ａは、後端に金属製受口部材１２ｂが一体に取り付けられたものであり、これを除いた部分は、樹脂材料又はゴムがモールド成形されたものであり、このような構成から把持部ケーシング１２ａは実質的に樹脂材料又はゴムから形成されたものであると言える。金属製受口部材１２ｂは中間の所定部分に複数の孔１２ｃを有し、ケーシング１２ａのモールド成形時に、これら複数の孔１２ｃに樹脂材料又はゴムが入り込んで固化し、これがボス１２ｄとなって金属製受口部材１２ｂをケーシング１２ａに一体化するものである。また金属製受口部材１２ｂには、先端付近に段差部１２ｅが形成され、後端付近に内螺子１２ｆが形成されている。
把持部ケーシング１２ａの先端内部では、図３及び図４において、符号１２ｇで示した部分に凸状に段差１２ｇが形成されており、この凸状段差１２ｇが、上述した光ファイバー収容部１１ｅにおける係合部１１ｆと係合する。このように両部材が係合することにより、ヘッド部１１の接続ネック部１１ａを、把持部ケーシング１２ａの先端に装着するときに位置決めが容易になり、しかも、ヘッド部１１の接続ネック部１１ａが把持部ケーシング１２ａ内において回転方向に位置ずれしないように規制できる。
【００１４】
図５は、歯科用ハンドピース１０の後端部の拡大断面図である。
後端ケーシング１３は内周面に内螺子１３ａが設けられている。後端ケーシング１３と把持部ケーシング１２ａとの接続部には、複数の固定部材２１ａ〜２１ｃが設けられ、後端接続部（カップリング部材２２）や軸部材１４が固定される。
すなわち、把持部ケーシング１２ａの金属製受口部材１２ｂには、その段差部１２ｅに係合するように環状の第一の固定部材２１ａが挿着され、この第一の固定部材２１ａに当接するように環状の第二の固定部材２１ｂが挿着され、この第二の固定部材２１ｂと金属製受口部材１２ｂの隙間に第三の固定部材２１ｃが挿入される。
第二の固定部材２１ｂには、軸部材１４の後端外螺子１４ｂを挿通するための孔２１ｄが設けられており、この後端外螺子１４ｂにナット２２を螺合させて、ここに軸部材１４の後端が固定される。また第三の固定部材２１ｃは前端部と後端部に外螺子２１ｅ，２１ｆを有し、後端に内フランジ２１ｇが設けられ、前端部の外螺子２１ｅは金属製受口部材１２ｂの内螺子１２ｆと螺合され、後端部の外螺子２１ｆは後端ケーシング１３の内螺子１３ａと螺合され、後端の内フランジ２１ｇはカップリング部材２２を第二の固定部材２１ｂと共に挟んで固定する。
なお、本実施の形態では、第二の固定部材２１ｂを軸部材１４の後端を固定する箇所として例示したが、この固定箇所は、これに限定されるものではなく、例えば、後端ケーシング１３や、別途設ける他の部材等に固定することが可能である。
【００１５】
以上のように、本発明にかかる歯科用ハンドピース１０では、把持部ケーシング１２ａに挿設された軸部材１４により、実質的に金属材料から形成されたヘッド部１１と、実質的に樹脂材料又はゴムから形成された把持部ケーシング１２ａとの連結状態を確実に維持することが可能になった。このような材料からなる両部材１１，１２ａは、特に、歯科処置工具２０を回転駆動したときの連結状態の維持が課題になるものであるが、これは軸部材１４により解決される。
本発明にかかる歯科用ハンドピース１０は、把持部ケーシング１２ａがヘッド部１１に確実に連結されたものでありながら、これを、従来の歯科用ハンドピース、すなわち、実質的に金属材料から形成された各ケーシングがそれぞれ螺合連結された従来の歯科用ハンドピースと比較しても、把持部ケーシング１２ａに伝達される振動は大幅に減衰される。
【図面の簡単な説明】
【００１６】
【図１】本発明にかかる歯科用ハンドピースの断面図である。
【図２】本発明にかかる歯科用ハンドピースのヘッド部の側面図である。
【図３】図１におけるＡ−Ａ線に沿った断面図である。
【図４】本発明にかかる歯科用ハンドピースの把持部ケーシングの断面図である。
【図５】本発明にかかる歯科用ハンドピースの後端の拡大断面図である。
【図６】従来の歯科用ハンドピースを説明するための側面図である。
【符号の説明】
【００１７】
１０  歯科用ハンドピース
１１  ヘッド部
１１ａ  接続ネック部
１１ｆ  係合部
１２  把持部
１２ａ  把持部ケーシング
１２ｂ  金属製受口部材
１２ｇ  凸状段差（係合部）
１３  後端ケーシング
１４  軸部材
２０  歯科処置工具
２１ａ〜２１ｃ  固定部材
【図１】
2007089866.tif 000003
【図２】
2007089866.tif 000004
【図３】
2007089866.tif 000005
【図４】
2007089866.tif 000006
【図５】
2007089866.tif 000007
【図６】
2007089866.tif 000008